(57)【要約】  近位ハンドル（１０１）および遠位湾曲チップ（１０２）を有する扁桃摘出術用吸引切除装置であって、少なくとも１つの吸引入口（１０５）を真空口に接続するチップ内のそれに沿った吸引チャネル（１０３）を有する装置。本装置は、対応するスロット（１０７）の中に摺動可能に保持され、かつ幅方向に方向づけられた可撓性切断刃部材（１０６）であって、手で操作可能なロッキング機構（１０８）によって切断刃部材の遠位切断端（１０９）がチップの端部から伸長する伸長位置と後退位置との間で構成可能な可撓性切断刃部材（１０６）をさらに有する。当該刃の形状および向きにより、切断のために伸長させた場合に当該刃を当該スロット内で撓ませることができる。【選択図】図４
2020528332.tif 000002
【特許請求の範囲】
【請求項１】
近位ハンドルおよび遠位湾曲チップと、前記チップの端部に位置する少なくとも１つの吸引入口を前記ハンドルにある真空口に動作可能に接続する前記チップ内のそれに沿った吸引チャネルと、前記チップ内のそれに沿ったスロット内に摺動可能に保持された可撓性切断刃部材であって、手で操作可能なロッキング機構によって前記可撓性切断刃部材の遠位切断端が前記チップの端部から伸長する伸長位置と前記可撓性切断刃部材の遠位切断端が前記チップの端部内に後退する後退位置との間で構成可能な可撓性切断刃部材とを備える、扁桃摘出術用吸引切除装置。
【請求項２】
前記可撓性切断刃部材は前記スロット内で撓み可能に幅方向に方向づけられた平坦部分を含む、請求項１に記載の装置。
【請求項３】
前記可撓性切断刃部材はプラスチックを含む、請求項１に記載の装置。
【請求項４】
前記可撓性切断刃部材は約３ｍｍの厚さを含む、請求項１に記載の装置。
【請求項５】
前記可撓性切断刃部材は約１０ｍｍの幅を含む、請求項１に記載の装置。
【請求項６】
前記一体形成されたハンドルおよびチップを含む第１の部分と前記切断刃部材を含む第２の部分とを含む２部分構造を含む、請求項１に記載の装置。
【請求項７】
前記スロットおよび前記切断刃部材は前記切断刃部材の後方への除去のために構成されている、請求項６に記載の装置。
【請求項８】
前記遠位切断端は、直交する真っ直ぐな切断エッジに向かって狭くなっている、請求項１に記載の装置。
【請求項９】
前記切断エッジは約１０ｍｍの長さを含む、請求項８に記載の装置。
【請求項１０】
前記切断エッジは鋸歯を備える、請求項８に記載の装置。
【請求項１１】
前記鋸歯は前記切断エッジの幅に実質的に沿って配置されており、かつ前記エッジの上から下まで移行している、請求項１０に記載の装置。
【請求項１２】
前記切断エッジは先端に向かって尖っていない、請求項８に記載の装置。
【請求項１３】
前記切断エッジは約１ｍｍの幅を含む、請求項１２に記載の装置。
【請求項１４】
前記少なくとも１つの吸引入口は前記遠位切断端に対して下方に位置している、請求項１に記載の装置。
【請求項１５】
前記少なくとも１つの吸引入口は、遠位、側方および下方に位置する吸引入口のうちの少なくとも１つを含む複数の吸引入口を含む、請求項１４に記載の装置。
【請求項１６】
前記少なくとも１つの吸引入口は、遠位、側方および下方に位置する吸引入口を含む複数の吸引入口を含む、請求項１５に記載の装置。
【請求項１７】
前記遠位に位置する吸引入口は一対の側方に隣接する吸引入口を含む、請求項１６に記載の装置。
【請求項１８】
前記ハンドルは、前記ハンドルの細長い軸に沿った非円形断面を含む、請求項１に記載の装置。
【請求項１９】
前記ハンドルは、平らな側方および下方の表面のうちの少なくとも１つを含む、請求項１８に記載の装置。
【請求項２０】
前記真空管接続部は前記ハンドルの近位端から延在している、請求項１に記載の装置。
【請求項２１】
前記真空管接続部は円筒状であり、かつ前記ハンドルの長手方向軸に実質的に平行に方向づけられている、請求項２０に記載の装置。
【請求項２２】
前記ロッキング機構は、前記ハンドル内の上方開口部から押下可能なロッキングレバーを備える切断刃部材を備える、請求項１に記載の装置。
【請求項２３】
前記切断刃部材の近位端は前記ハンドルの後方開口部から伸長し、前記近位端は前方に進んで前記切断刃部材を前方に摺動させるように構成されている、請求項２２に記載の装置。
【請求項２４】
前記レバーは、下に摺動することができる矢印形状のボスおよび中間部を備え、かつ前方開口部内に位置している、請求項２３に記載の装置。
【請求項２５】
前記矢印形状のボスの後方エッジは前記中間部の前方エッジに接触してロックされて前記切断刃部材を前記伸長位置に保持する、請求項２４に記載の装置。
【請求項２６】
前記レバーは前記矢印形状のボスを前記中間部から係脱させるために前記開口部から押下可能である、請求項２４に記載の装置。
【請求項２７】
前記レバーは、前記レバーを後方に引くための前向きのエッジを有する後方ノブを備える、請求項２６に記載の装置。
【請求項２８】
請求項１に記載の装置を含む扁桃摘出術を行うための方法であって、前記方法は、片方の手で前記切断刃部材を前方に伸長させて同時の切除および吸引を行うことと、吸引のみを行うために前記切断刃部材を後退させることとを含む、方法。
【発明の詳細な説明】
【技術分野】
【０００１】
本発明は一般に扁桃摘出術用装置に関する。より詳細には本発明は、切除および吸引の使用モードと吸引のみの使用モードとの間で選択的に構成可能な扁桃摘出術用装置に関する。
【背景技術】
【０００２】
扁桃摘出術は、両方の口蓋扁桃を扁桃窩と呼ばれる咽頭の側面にある陥凹から除去する外科手術である。
【０００３】
扁桃摘出術処置の一種は、典型的には一方の手で鉗子を使用して扁桃を保持しながらもう一方の手で保持される扁桃の切除のための細長い切断刃の使用を含む。
【０００４】
この処置の間に真空吸引チップを使用して流体（血液および唾液）を除去してもよい。Ｙａｎｋａｕｅｒチップ（扁桃チップ）は最もよく使用されている吸引チップのうちの１つである。
【０００５】
しかし、３つの器具の利用は助手を必要としたり、あるいは必要に応じた器具類の取り換えは当該処置を複雑にしたり長引かせたりする。
【０００６】
さらに、Ｙａｎｋａｕｅｒチップは大量の流体の吸引を可能にするが、Ｙａｎｋａｕｅｒチップは、このチップを組織または大きい凝血塊に非常に近づけた場合に容易に閉塞するという欠点を有する。外科医は多くの場合にガーゼスポンジを当該チップの上に置き、ガーゼを通して流体を吸引して閉塞詰まりを防止する。
【０００７】
本発明は、先行技術に欠けている点の少なくともいくつかを克服するか実質的に改善する扁桃摘出術用吸引切除装置を提供すること、あるいは少なくとも代替物を提供することを目的とする。
【０００８】
当然のことながら、どんな先行技術情報が本明細書において参照されるとしても、そのような参照は、それらの情報がオーストラリアまたはあらゆる他の国において当該技術分野における通常の一般知識の一部をなすことを認めるものではない。
【発明の概要】
【０００９】
本明細書では、近位ハンドルおよび遠位湾曲チップを備える扁桃摘出術用吸引切除装置が提供される。本装置は、使用時の流体の吸引のためにチップの端部に位置する少なくとも１つの吸引入口をハンドルの真空口に動作可能に接続するチップの中またはそれに沿った吸引チャネルを備える。本装置は、チップに沿った対応する幅方向および長手方向スロットの中に摺動可能に保持され、かつ幅方向に方向づけられた可撓性切断刃部材であって、手で操作可能なロッキング機構によって切断刃部材の遠位切断端がチップの端部から伸長する伸長位置と可撓性切断刃部材の遠位切断端がチップの端部内に後退する後退位置との間で構成可能な可撓性切断刃部材をさらに備える。
【００１０】
当該刃のこの後退および伸長により、吸引チップまたは吸引切除器具としての二重機能性を可能にし、このようにして手術の速度を上げ、かつ失血を減らす。
【００１１】
従って、ロッキング機構は切除および吸引の動作モードと吸引のみの動作モードとの間で本装置を素早く再構成するために使用してもよい。さらに本構成により、片方の手による切除および吸引を可能にし、他方の手を鉗子を操作するなどの他の作業のために空けておく。
【００１２】
さらに、本ロッキング機構により親指のみを使用するなどの片方の手による本装置の再構成を可能にしてもよく、人差し指をハンドルを把持するために空けておく。
【００１３】
具体的には、ロッキング機構は、ハンドルの上方開口部内にロックされるロッキングレバーを備える可撓性切断刃部材を備えていてもよい。切断刃部材は、ロッキングレバーが上方開口部内にロックされる伸長位置まで前方に押すためにハンドルの後方開口部から伸長している。さらにロッキングレバーは、レバーを係脱して後方に引いて切断刃部材を後退させるために上方開口部からアクセス可能である。
【００１４】
扁桃窩に向かう吸引穴の位置は、出血が生じた場合に正確に出血点で血液の即時吸引を可能にし、こうして血液が喉に蓄積する確率を最小限に抑え、血液／凝血塊吸入のリスクを減らす。
【００１５】
また、外科医の方を向く当該刃の位置は、常に正確な切除および切断場所の完全な可視性を可能にし、不注意で周囲組織を傷つけ、かつさらなる出血を引き起こす確率を減らす。
【００１６】
さらに、吸引入口の構成により、Ｙａｎｋａｕｅｒチップによって経験する場合がある閉塞問題を実質的に減少または排除することができる。具体的には、吸引入口は遠位切断端に対して下方に位置していてもよく、かつその１つの表面を押し付けることによって閉塞を予防するためにチップの端部の異なる面に配置されていてもよい。具体的には実施形態では、吸引入口は、一対の遠位に位置する吸引入口、対向して側方に位置する吸引入口、および下方に位置する吸引入口を含んでもよい。
【００１７】
一態様によれば、近位ハンドルおよび遠位湾曲チップと、チップの端部に位置する少なくとも１つの吸引入口をハンドルにある真空口に動作可能に接続するチップ内のそれに沿った吸引チャネルと、チップ内のそれに沿ったスロット内に摺動可能に保持された可撓性切断刃部材であって、手で操作可能なロッキング機構によって可撓性切断刃部材の遠位切断端がチップの端部から伸長する伸長位置と可撓性切断刃部材の遠位切断端がチップの端部内に後退する後退位置との間で構成可能な可撓性切断刃部材とを備える扁桃摘出術用吸引切除装置が提供される。
【００１８】
可撓性切断刃部材は、スロット内で撓み可能に幅方向に方向づけられた平坦部分を含んでもよい。
【００１９】
可撓性切断刃部材はプラスチックを含んでもよい。
【００２０】
可撓性切断刃部材は約３ｍｍの厚さを含んでもよい。
【００２１】
可撓性切断刃部材は約１０ｍｍの幅を含んでもよい。
【００２２】
本装置は、一体形成されたハンドルおよびチップを含む第１の部分と切断刃部材を含む第２の部分とを含む、２部分構造を含んでもよい。
【００２３】
スロットおよび切断刃部材は、切断刃部材の後方への除去のために構成されていてもよい。
【００２４】
遠位切断端は直交する真っ直ぐな切断エッジに向かって狭くなっていてもよい。
【００２５】
切断エッジは約１０ｍｍの長さを含んでもよい。
【００２６】
切断エッジは鋸歯を備えていてもよい。
【００２７】
鋸歯は、実質的に切断エッジの幅に沿って配置され、かつ当該エッジの上から下に移行していてもよい。
【００２８】
切断エッジは先端に向かって尖っていなくてもよい。
【００２９】
切断エッジは約１ｍｍの幅を含んでもよい。
【００３０】
少なくとも１つの吸引入口は遠位切断端に対して下方に位置していてもよい。
【００３１】
少なくとも１つの吸引入口は、遠位、側方および下方に位置する吸引入口のうちの少なくとも１つを含む複数の吸引入口を含んでもよい。
【００３２】
少なくとも１つの吸引入口は、遠位、側方および下方に位置する吸引入口を含む複数の吸引入口を含んでもよい。
【００３３】
遠位に位置する吸引入口は、一対の側方に隣接する吸引入口を含んでもよい。
【００３４】
ハンドルは、ハンドルの細長い軸に沿った非円形断面を含んでもよい。
【００３５】
ハンドルは、平らな側方および下方の表面のうちの少なくとも１つを含んでもよい。
【００３６】
真空管接続部はハンドルの近位端から延在している。
【００３７】
真空管接続部は円筒状であり、かつハンドルの長手方向軸に実質的に平行に方向づけられていてもよい。
【００３８】
ロッキング機構は、ハンドル内の上方開口部から押下可能なロッキングレバーを備える切断刃部材を備えていてもよい。
【００３９】
切断刃部材の近位端はハンドルの後方開口部から伸長し、当該近位端は前方に進んで切断刃部材を前方に摺動させるように構成されていてもよい。
【００４０】
当該レバーは、下に摺動することができる矢印形状のボスおよび中間部を備え、かつ前方開口部内に位置してもよい。
【００４１】
矢印形状のボスの後方エッジは、中間部の前方エッジに接触してロックされて切断刃部材を伸長位置に保持してもよい。
【００４２】
当該レバーは、矢印形状のボスを中間部から係脱させるために当該開口部から押下可能であってもよい。
【００４３】
当該レバーは、当該レバーを後方に引くための前向きのエッジを有する後方ノブを備えていてもよい。
【００４４】
請求項１に記載の装置を含む扁桃摘出術を行うための方法も提供されてもよく、当該方法は、片方の手で切断刃部材を前方に伸長させて同時の切除および吸引を行うことと、吸引のみを行うために切断刃部材を後退させることとを含む。
【００４５】
本発明の他の態様も開示する。
【００４６】
あらゆる他の形態が本発明の範囲に含まれ得るにも関わらず、以下では添付の図面を参照しながら本開示の好ましい実施形態を単に例として説明する。
【図面の簡単な説明】
【００４７】
【図１】実施形態に係る扁桃摘出術用吸引切除装置の上面斜視図を示す。
【図２】本装置の底面斜視図を例解する。
【図３】本装置の上面平面図を例解する。
【図４】本装置の側面立面図を例解する。
【図５】本装置の正面立面図を示す。
【図６】本装置の背面立面図を示す。
【図７】本装置の吸引チップの端部の上面斜視図を示す。
【図８】吸引チップの端部の底面平面図を例解する。
【図９】吸引カップの端部の正面立面図を例解する。
【図１０】本装置のチップの断面図を例解する。
【図１１】本装置のチップの端部の断面側面図を例解する。
【図１２】本装置のハンドルの断面図を例解する。
【図１３】後退位置における切断刃部材の後方位置を例解する。
【図１４】伸長位置における切断刃部材の前方位置を例解する。
【発明を実施するための形態】
【００４８】
扁桃摘出術用吸引切除装置１００は、近位ハンドル１０１および遠位湾曲チップ１０２を備える。装置１００は、チップ１０２の端部に位置している少なくとも１つの吸引入口１０４とハンドル１０１に位置している真空管接続部１０５とを動作可能に接続する少なくとも１つの吸引チャネル１０３を備える。
【００４９】
ここで図１に提供されている配向軸を参照すると、図１では、装置１００は細長く、かつ近い端部／近位端、遠い端部／遠位端、側面／側方面、上面／上方面および下面／下方面を含む。
【００５０】
装置１００は、チップ１０２に沿ってスロット１０７内に摺動可能に保持され、かつ図７、図８および図１１に実質的に表されているように、ハンドル１０１にある手で操作可能なロッキング機構１０８によって切断刃部材１０６の遠位切断端１０９がチップ１０２の端部から突出する伸長位置と遠位切断端１０９がチップ１０２の端部内に後退する後退位置との間で構成可能な可撓性切断刃部材１０６をさらに備える。
【００５１】
装置１００の利用は、吸引装置の真空管接続部１０５への接続を含む。次いで湾曲チップ１０２をその端部が喉の奥に位置するように左側または右側から口の中に挿入する。ロッキング機構１０８は、典型的には反対の手にある一対の鉗子で引きながら遠位切断端１０９がそれぞれの扁桃を切除することができるように、切断刃部材１０６の遠位切断端１０９をチップ１０２の端部から伸長するように構成されていてもよい。遠位切断端１０９は、扁桃を鉗子の反対方向に引きながら扁桃の基部を前方に押し、それにより扁桃を切除することができる直交する真っ直ぐな切断エッジ１１５を画定している。
【００５２】
切除している間に、吸引入口１０４から流体を排出させてもよい。常に、外科医はロッキング機構１０８を用いて遠位切断端１０９を後退させて吸引のみのためにチップ１０２を用い、必要な場合および必要に応じて遠位切断端１０９を伸長させることができる。
【００５３】
この処置は、湾曲チップ１０２を口の反対の側方面から挿入することによって反対の扁桃のために繰り返してもよい。
【００５４】
好ましい実施形態では、ハンドル１０１およびチップ１０２はプラスチックで一体形成されている。さらに実施形態では、切断刃部材１０６も同様にプラスチックで作られている。但し実施形態では、切断刃部材１０６は、電気焼灼用途のために導電性にするために金属で撓み可能に形成されていてもよい。これは吸引、切除および電気焼灼としての３つの機能性を可能にし、出血点を即時に封鎖する。また、当該器具における電気凝固を用いることで、瘢痕化した扁桃を切除するために力を使用するという必要性を減らすが、それは電気が瘢痕組織を溶かし、最小の切除力が加えられている間に凝固し、切除をより正確にし、組織外傷をより少なくし、このようにして術後に治癒をより速め、かつより痛みの少ない治癒をもたらすからである。
【００５５】
図４を参照すると、ハンドル１０２は一般に細長く、それにより細長い軸を有していてもよく、チップ１０２はハンドル１０１の細長い軸との実質的な一直線から湾曲して、その遠位端でそこから約４０°逸脱していてもよい。この４０°の湾曲は、外科医の手を手術野の外側に持って行き、一定の可視性を確保し、同時に４０°の滑らかな湾曲は吸引口の内部での適切な吸引力を維持し、かつ吸引口内での血液凝固を防止する。
【００５６】
図１および図２を参照すると、真空接続口１０５はハンドルの近位端１０２から延在していてもよい。図示の実施形態では、真空接続口１０５は、ハンドル１０１の細長い軸と実質的に一直線の細長い軸を含むほぼ円筒状である。真空接続口１０５は、接続インターロックリング１１２およびＯリングシール１１３を備えていてもよい。
【００５７】
図７は、伸長位置における切断刃部材１０６を示すチップ１０２の端部をさらに詳細に例解する。
【００５８】
図示されている好ましい実施形態では、切断刃部材１０９は、伸長位置と後退位置との間を移行する場合にスロット１０７内で撓むことができるように長手方向スロット１０７内で幅方向に平坦にされて方向づけられた部分を有する。一実施形態では、切断刃部材１０９は約１０ｍｍの幅および約２ｍｍの厚さを含んでもよい。
【００５９】
好ましい実施形態では、切断刃部材１０６はプラスチックで作られている。
【００６０】
図７に例解されるように、遠位切断端１０９は、直交する真っ直ぐな切断エッジ１１５まで狭くなっていてもよい。
【００６１】
さらに、切断エッジ１１５は、切断エッジ１１５を上から下に直交的に跨っている複数の鋸歯１１６を備えていてもよく、これは扁桃組織に係合して切除中に切断刃部材１０６が横に滑るのを実質的に防止し、かつ周囲組織損傷を回避することができる。
【００６２】
図１１に最も良く例解されるように、切断エッジ１１５は先端に向かって尖っておらず、それにより操作中に周囲組織を望ましくなく不注意で損傷することがあるその切断動作の有効性を制限すると共に、必要な場合に扁桃を有効に切断することができるような十分な狭さを含む。例えば、切断エッジ１１５の幅は約１ｍｍであってもよい。また、当該刃の寸法は、良好に切除するのに十分な大きさであるが、可視性を維持し、周囲組織を常に注視して付帯的組織損傷を回避するのに十分な程に小さくなるように最適化されている。
【００６３】
図８を参照すると、伸長位置において約５ｍｍだけチップ１０２の端部を超えて伸長している遠位切断端１０９が示されている。
【００６４】
図７を参照すると、切断刃部材１０６に対して下方に位置している吸引入口１０４が例解されている。
【００６５】
さらに好ましい実施形態では、吸引入口１０４は、遠位、側方および下方などのチップ１０２の端部の複数の面に位置しており、それにより閉塞の可能性を減らしてもよい。具体的には、図７は、一対の遠位吸入口１０４Ａ、一対の対向する側方吸引入口１０４Ｂを含む吸引入口を示し、図８は下方吸入口１０４Ｃを示す。
【００６６】
図１２は、ロッキング機構１００をさらに詳細に示す装置１００の断面図を例解する。図示のとおり、切断刃部材１０６は、ハンドル１０２の後方開口部１１７から延在する近位端１１６を含んでもよい。近位端１１６の近位面は、前方に位置している場合にハンドル１０２の近位面１１８と同一平面を占有して嵌合するように角度が付けられている。
【００６７】
切断刃部材１０６は、ライブヒンジ１２１によって隣接部分１２０に摺動可能に連結されたロッキングレバー１１９をさらに備える。さらに、ハンドル１０２の上側１２２は、その間をレバー１１９の矢印形状のボス１２５が選択的に移行することができる主後方開口部１２３および副前方開口部１２４を含む。レバー１１９は、レバー１１９を押下するために主開口部１２３からアクセス可能な後方ノブ１２６を備える。さらにレバー１１９は、切断刃部材１０６が伸長位置にある場合に対向する壁１２８に当接するバットレス１２７により遠位で終端している。
【００６８】
図１２は、後退構成にある切断刃部材１０６を示す。従って、切除のために切断刃部材１０９を伸長させるために、典型的にはハンドル１０２の下側を人差し指で把持しながら親指で後方端１１６をハンドル１０２の細長い軸に沿って前方に押してもよい。矢印形状のボス１２５の前方斜面１２９は、矢印形状のボス１２５が前方副開口部１２４内に位置するときまで矢印形状のボス１２５が主開口部１２３と副開口部１２４との間にある中間部１３０の下を移行することができるようにレバー１０９を押下する。この位置にきたら、矢印形状のボス１２５の後方の直交するエッジ１３０は、中間部１３０の前方エッジ１３１に接触して切断刃部材１０６が圧力下で後方に摺動するのを防止する。この伸長位置において、バットレス１２７は対向する壁１２８に当接し、それにより後方端１１６の前方移動を制限してもよい。
【００６９】
その後、切断刃部材１０６を後退させるために、親指を主開口部１２３に挿入してレバー１１９を実質的に押下し、かつ同時にノブ１２６の前方エッジ１３２に接触して後方に引いて、これにより矢印形状のボス１２５の後面１３０を中間部１３０の前方エッジ１３１から係脱させ、かつ親指の動作により切断刃部材１０６が後方に摺動するのを可能にしてもよい。
【００７０】
また図１２から理解することができるように、スロット１０７の後方部分１３３は、切断刃部材１０６の完全な後方への除去を可能にするのに十分な程に幅広である。
【００７１】
ロッキング機構１０８は親指動作のために構成されていてもよいが、ハンドル１０２は対向する人差し指の把持を向上させるように成形されていてもよい。具体的には、図５を参照すると、パネル１０２は、ハンドル１０２に非円形断面を付与する平らな側壁および直交する下方エッジ１１１を備え、それにより外科医の手の中でのその回転滑りを防止または減少させてもよい。
【００７２】
説明のための上の記載は、本発明の徹底的な理解を与えるために具体的な名称を使用した。但し、本発明を実施するために具体的な詳細は必要ではないことは当業者には明らかであろう。従って、本発明の具体的な実施形態の上の記載は例解および説明のために提供されている。それらは網羅的であることも本発明を開示されている詳細な形態に限定することも意図していない。つまり、明らかに上記教示を考慮して多くの修正および変形が可能である。これらの実施形態は、本発明の原理およびその実際の適用を最も良好に説明するために選択されて記載されており、それらはそれにより他の当業者が本発明および企図される特定の使用に適するような様々な修正を有する様々な実施形態を最も良好に利用するのを可能にする。以下の特許請求の範囲およびそれらの均等物が本発明の範囲を定めることが意図されている。
【図１】
2020528332.tif 000003
【図２】
2020528332.tif 000004
【図３】
2020528332.tif 000005
【図４】
2020528332.tif 000006
【図５】
2020528332.tif 000007
【図６】
2020528332.tif 000008
【図７】
2020528332.tif 000009
【図８】
2020528332.tif 000010
【図９】
2020528332.tif 000011
【図１０】
2020528332.tif 000012
【図１１】
2020528332.tif 000013
【図１２】
2020528332.tif 000014
【図１３】
2020528332.tif 000015
【図１４】
2020528332.tif 000016
【手続補正書】
【提出日】令和1年6月6日(2019.6.6)
【手続補正１】
【補正対象書類名】明細書
【補正対象項目名】全文
【補正方法】変更
【補正の内容】
【発明の詳細な説明】
【技術分野】
【０００１】
本発明は一般に扁桃摘出術用装置に関する。より詳細には本発明は、切除および吸引の使用モードと吸引のみの使用モードとの間で選択的に構成可能な扁桃摘出術用装置に関する。
【背景技術】
【０００２】
扁桃摘出術は、両方の口蓋扁桃を扁桃窩と呼ばれる咽頭の側面にある陥凹から除去する外科手術である。
【０００３】
扁桃摘出術処置の一種は、典型的には一方の手で鉗子を使用して扁桃を保持しながらもう一方の手で保持される扁桃の切除のための細長い切断刃の使用を含む。
【０００４】
この処置の間に真空吸引チップを使用して流体（血液および唾液）を除去してもよい。Ｙａｎｋａｕｅｒチップ（扁桃チップ）は最もよく使用されている吸引チップのうちの１つである。
【０００５】
しかし、３つの器具の利用は助手を必要としたり、あるいは必要に応じた器具類の取り換えは当該処置を複雑にしたり長引かせたりする。
【０００６】
さらに、Ｙａｎｋａｕｅｒチップは大量の流体の吸引を可能にするが、Ｙａｎｋａｕｅｒチップは、このチップを組織または大きい凝血塊に非常に近づけた場合に容易に閉塞するという欠点を有する。外科医は多くの場合にガーゼスポンジを当該チップの上に置き、ガーゼを通して流体を吸引して閉塞詰まりを防止する。
【０００７】
本発明は、先行技術に欠けている点の少なくともいくつかを克服するか実質的に改善する扁桃摘出術用吸引切除装置を提供すること、あるいは少なくとも代替物を提供することを目的とする。
【０００８】
当然のことながら、どんな先行技術情報が本明細書において参照されるとしても、そのような参照は、それらの情報がオーストラリアまたはあらゆる他の国において当該技術分野における通常の一般知識の一部をなすことを認めるものではない。
【発明の概要】
【０００９】
本明細書では、近位ハンドルおよび遠位湾曲チップを備える扁桃摘出術用吸引切除装置が提供される。本装置は、使用時の流体の吸引のためにチップの端部に位置する少なくとも１つの吸引入口をハンドルの真空口に動作可能に接続するチップの中またはそれに沿った吸引チャネルを備える。本装置は、チップに沿った対応する幅方向および長手方向スロットの中に摺動可能に保持され、かつ幅方向に方向づけられた可撓性切断刃部材であって、手で操作可能なロッキング機構によって切断刃部材の遠位切断端がチップの端部から伸長する伸長位置と可撓性切断刃部材の遠位切断端がチップの端部内に後退する後退位置との間で構成可能な可撓性切断刃部材をさらに備える。
【００１０】
当該刃のこの後退および伸長により、吸引チップまたは吸引切除器具としての二重機能性を可能にし、このようにして手術の速度を上げ、かつ失血を減らす。
【００１１】
従って、ロッキング機構は切除および吸引の動作モードと吸引のみの動作モードとの間で本装置を素早く再構成するために使用してもよい。さらに本構成により、片方の手による切除および吸引を可能にし、他方の手を鉗子を操作するなどの他の作業のために空けておく。
【００１２】
さらに、本ロッキング機構により親指のみを使用するなどの片方の手による本装置の再構成を可能にしてもよく、人差し指をハンドルを把持するために空けておく。
【００１３】
具体的には、ロッキング機構は、ハンドルの上方開口部内にロックされるロッキングレバーを備える可撓性切断刃部材を備えていてもよい。切断刃部材は、ロッキングレバーが上方開口部内にロックされる伸長位置まで前方に押すためにハンドルの後方開口部から伸長している。さらにロッキングレバーは、レバーを係脱して後方に引いて切断刃部材を後退させるために上方開口部からアクセス可能である。
【００１４】
扁桃窩に向かう吸引穴の位置は、出血が生じた場合に正確に出血点で血液の即時吸引を可能にし、こうして血液が喉に蓄積する確率を最小限に抑え、血液／凝血塊吸入のリスクを減らす。
【００１５】
また、外科医の方を向く当該刃の位置は、常に正確な切除および切断場所の完全な可視性を可能にし、不注意で周囲組織を傷つけ、かつさらなる出血を引き起こす確率を減らす。
【００１６】
さらに、吸引入口の構成により、Ｙａｎｋａｕｅｒチップによって経験する場合がある閉塞問題を実質的に減少または排除することができる。具体的には、吸引入口は遠位切断端に対して下方に位置していてもよく、かつその１つの表面を押し付けることによって閉塞を予防するためにチップの端部の異なる面に配置されていてもよい。具体的には実施形態では、吸引入口は、一対の遠位に位置する吸引入口、対向して側方に位置する吸引入口、および下方に位置する吸引入口を含んでもよい。
【００１７】
一態様によれば、提供される。
【００１８】
少なくとも１つの上方開口部は、後方上方開口部および前方上方開口部を含んでもよく、当該レバーは、後方上方開口部からアクセス可能な後方ノブと、切断刃部材が伸長位置にある場合に前方上方開口部の後方エッジに当接し、かつ切断刃部材が後退位置から伸長位置に移行する場合に後方上方開口部の前方エッジの下を摺動するように方向づけられた矢印形状のボスとを備えていてもよい。
【００１９】
後方上方開口部は、後方ノブが後退位置と伸長位置との間でその後方エッジと前方エッジとの間に位置するように十分に細長くてもよい。
【００２０】
前方上方開口部は後方上方開口部よりも小さくてもよい。
【００２１】
後方ノブは、それに接触させて切断刃部材を後退位置まで後方に引くことができる、後方上方開口部内でアクセス可能な前方エッジを含んでもよい。
【００２２】
切断刃部材は後方開口部から完全に引き出してもよい。
【００２３】
当該レバーはライブヒンジによって摺動可能に保持されていてもよい。
【００２４】
当該レバーは、切断刃部材が伸長位置にあり得る場合に対向する壁に当接する前方バットレスを備えていてもよい。
【００２５】
当該近位端は切断刃部材が伸長位置にあり得る場合に後方開口部と同一平面に位置していてもよい。
【００２６】
可撓性切断刃部材は、スロット内で撓み可能に幅方向に方向づけられた平坦部分を含んでもよい。
【００２７】
可撓性切断刃部材はプラスチックを含んでもよい。
【００２８】
可撓性切断刃部材は約３ｍｍの厚さを含んでもよい。
【００２９】
可撓性切断刃部材は約１０ｍｍの幅を含んでもよい。
【００３０】
本装置は、一体形成されたハンドルおよびチップを含む第１の部分と切断刃部材を含む第２の部分とを含む２部分構造を含んでもよい。
【００３１】
遠位切断端は、直交する真っ直ぐな切断エッジに向かって狭くなっていてもよい。
【００３２】
切断エッジは約１０ｍｍの長さを含んでもよい。
【００３３】
切断エッジは鋸歯を備えていてもよい。
【００３４】
鋸歯は、切断エッジの幅に実質的に沿って配置され、かつ当該縁部の上から下まで移行していてもよい。
【００３５】
少なくとも１つの吸引入口は遠位切断端に対して下方に位置していてもよく、少なくとも１つの吸引入口は、遠位、側方および下方に位置する吸引入口のうちの少なくとも１つを含む複数の吸引入口を含んでもよい。
【００３６】
本装置を使用して扁桃摘出術を行うための方法は、片方の手で切断刃部材の近位端を前方に押して同時の切除および吸引を行うことと、吸引のみを行うために当該レバーを押下することによって切断刃部材を後退させることとを含んでもよい。
【００３７】
本発明の他の態様も開示する。
【００３８】
あらゆる他の形態が本発明の範囲に含まれ得るにも関わらず、以下では添付の図面を参照しながら本開示の好ましい実施形態を単に例として説明する。
【図面の簡単な説明】
【００３９】
【図１】実施形態に係る扁桃摘出術用吸引切除装置の上面斜視図を示す。
【図２】本装置の底面斜視図を例解する。
【図３】本装置の上面平面図を例解する。
【図４】本装置の側面立面図を例解する。
【図５】本装置の正面立面図を示す。
【図６】本装置の背面立面図を示す。
【図７】本装置の吸引チップの端部の上面斜視図を示す。
【図８】吸引チップの端部の底面平面図を例解する。
【図９】吸引カップの端部の正面立面図を例解する。
【図１０】本装置のチップの断面図を例解する。
【図１１】本装置のチップの端部の断面側面図を例解する。
【図１２】本装置のハンドルの断面図を例解する。
【図１３】後退位置における切断刃部材の後方位置を例解する。
【図１４】伸長位置における切断刃部材の前方位置を例解する。
【発明を実施するための形態】
【００４０】
扁桃摘出術用吸引切除装置１００は、近位ハンドル１０１および遠位湾曲チップ１０２を備える。装置１００は、チップ１０２の端部に位置している少なくとも１つの吸引入口１０４とハンドル１０１に位置している真空管接続部１０５とを動作可能に接続する少なくとも１つの吸引チャネル１０３を備える。
【００４１】
ここで図１に提供されている配向軸を参照すると、図１では、装置１００は細長く、かつ近い端部／近位端、遠い端部／遠位端、側面／側方面、上面／上方面および下面／下方面を含む。
【００４２】
装置１００は、チップ１０２に沿ってスロット１０７内に摺動可能に保持され、かつ図７、図８および図１１に実質的に表されているように、ハンドル１０１にある手で操作可能なロッキング機構１０８によって切断刃部材１０６の遠位切断端１０９がチップ１０２の端部から突出する伸長位置と遠位切断端１０９がチップ１０２の端部内に後退する後退位置との間で構成可能な可撓性切断刃部材１０６をさらに備える。
【００４３】
装置１００の利用は、吸引装置の真空管接続部１０５への接続を含む。次いで湾曲チップ１０２をその端部が喉の奥に位置するように左側または右側から口の中に挿入する。ロッキング機構１０８は、典型的には反対の手にある一対の鉗子で引きながら遠位切断端１０９がそれぞれの扁桃を切除することができるように、切断刃部材１０６の遠位切断端１０９をチップ１０２の端部から伸長するように構成されていてもよい。遠位切断端１０９は、扁桃を鉗子の反対方向に引きながら扁桃の基部を前方に押し、それにより扁桃を切除することができる直交する真っ直ぐな切断エッジ１１５を画定している。
【００４４】
切除している間に、吸引入口１０４から流体を排出させてもよい。常に、外科医はロッキング機構１０８を用いて遠位切断端１０９を後退させて吸引のみのためにチップ１０２を用い、必要な場合および必要に応じて遠位切断端１０９を伸長させることができる。
【００４５】
この処置は、湾曲チップ１０２を口の反対の側方面から挿入することによって反対の扁桃のために繰り返してもよい。
【００４６】
好ましい実施形態では、ハンドル１０１およびチップ１０２はプラスチックで一体形成されている。さらに実施形態では、切断刃部材１０６も同様にプラスチックで作られている。但し実施形態では、切断刃部材１０６は、電気焼灼用途のために導電性にするために金属で撓み可能に形成されていてもよい。これは吸引、切除および電気焼灼としての３つの機能性を可能にし、出血点を即時に封鎖する。また、当該器具における電気凝固を用いることで、瘢痕化した扁桃を切除するために力を使用するという必要性を減らすが、それは電気が瘢痕組織を溶かし、最小の切除力が加えられている間に凝固し、切除をより正確にし、組織外傷をより少なくし、このようにして術後に治癒をより速め、かつより痛みの少ない治癒をもたらすからである。
【００４７】
図４を参照すると、ハンドル１０２は一般に細長く、それにより細長い軸を有していてもよく、チップ１０２はハンドル１０１の細長い軸との実質的な一直線から湾曲して、その遠位端でそこから約４０°逸脱していてもよい。この４０°の湾曲は、外科医の手を手術野の外側に持って行き、一定の可視性を確保し、同時に４０°の滑らかな湾曲は吸引口の内部での適切な吸引力を維持し、かつ吸引口内での血液凝固を防止する。
【００４８】
図１および図２を参照すると、真空接続口１０５はハンドルの近位端１０２から延在していてもよい。図示の実施形態では、真空接続口１０５は、ハンドル１０１の細長い軸と実質的に一直線の細長い軸を含むほぼ円筒状である。真空接続口１０５は、接続インターロックリング１１２およびＯリングシール１１３を備えていてもよい。
【００４９】
図７は、伸長位置における切断刃部材１０６を示すチップ１０２の端部をさらに詳細に例解する。
【００５０】
図示されている好ましい実施形態では、切断刃部材１０９は、伸長位置と後退位置との間を移行する場合にスロット１０７内で撓むことができるように長手方向スロット１０７内で幅方向に平坦にされて方向づけられた部分を有する。一実施形態では、切断刃部材１０９は約１０ｍｍの幅および約２ｍｍの厚さを含んでもよい。
【００５１】
好ましい実施形態では、切断刃部材１０６はプラスチックで作られている。
【００５２】
図７に例解されるように、遠位切断端１０９は、直交する真っ直ぐな切断エッジ１１５まで狭くなっていてもよい。
【００５３】
さらに、切断エッジ１１５は、切断エッジ１１５を上から下に直交的に跨っている複数の鋸歯１３４を備えていてもよく、これは扁桃組織に係合して切除中に切断刃部材１０６が横に滑るのを実質的に防止し、かつ周囲組織損傷を回避することができる。
【００５４】
図１１に最も良く例解されるように、切断エッジ１１５は先端に向かって尖っておらず、それにより操作中に周囲組織を望ましくなく不注意で損傷することがあるその切断動作の有効性を制限すると共に、必要な場合に扁桃を有効に切断することができるような十分な狭さを含む。例えば、切断エッジ１１５の幅は約１ｍｍであってもよい。また、当該刃の寸法は、良好に切除するのに十分な大きさであるが、可視性を維持し、周囲組織を常に注視して付帯的組織損傷を回避するのに十分な程に小さくなるように最適化されている。
【００５５】
図８を参照すると、伸長位置において約５ｍｍだけチップ１０２の端部を超えて伸長している遠位切断端１０９が示されている。
【００５６】
図７を参照すると、切断刃部材１０６に対して下方に位置している吸引入口１０４が例解されている。
【００５７】
さらに好ましい実施形態では、吸引入口１０４は、遠位、側方および下方などのチップ１０２の端部の複数の面に位置しており、それにより閉塞の可能性を減らしてもよい。具体的には、図７は、一対の遠位吸入口１０４Ａ、一対の対向する側方吸引入口１０４Ｂを含む吸引入口を示し、図８は下方吸入口１０４Ｃを示す。
【００５８】
図１２は、ロッキング機構１００をさらに詳細に示す装置１００の断面図を例解する。図示のとおり、切断刃部材１０６は、ハンドル１０２の後方開口部１１７から延在する近位端１１６を含んでもよい。近位端１１６の近位面は、前方に位置している場合にハンドル１０２の近位面１１８と同一平面を占有して嵌合するように角度が付けられている。
【００５９】
切断刃部材１０６は、ライブヒンジ１２１によって隣接部分１２０に摺動可能に連結されたロッキングレバー１１９をさらに備える。さらに、ハンドル１０２の上側１２２は、その間をレバー１１９の矢印形状のボス１２５が選択的に移行することができる主後方開口部１２３および副前方開口部１２４を含む。レバー１１９は、レバー１１９を押下するために主開口部１２３からアクセス可能な後方ノブ１２６を備える。さらにレバー１１９は、切断刃部材１０６が伸長位置にある場合に対向する壁１２８に当接するバットレス１２７により遠位で終端している。
【００６０】
図１２は、後退構成にある切断刃部材１０６を示す。従って、切除のために切断刃部材１０９を伸長させるために、典型的にはハンドル１０２の下側を人差し指で把持しながら親指で後方端１１６をハンドル１０２の細長い軸に沿って前方に押してもよい。矢印形状のボス１２５の前方斜面１２９は、矢印形状のボス１２５が前方副開口部１２４内に位置するときまで矢印形状のボス１２５が主開口部１２３と副開口部１２４との間にある中間部１３０の下を移行することができるようにレバー１１９を押下する。この位置にきたら、矢印形状のボス１２５の後方の直交するエッジ１３５は、中間部１３０の前方エッジ１３１に接触して切断刃部材１０６が圧力下で後方に摺動するのを防止する。この伸長位置において、バットレス１２７は対向する壁１２８に当接し、それにより後方端１１６の前方移動を制限してもよい。
【００６１】
その後、切断刃部材１０６を後退させるために、親指を主開口部１２３に挿入してレバー１１９を実質的に押下し、かつ同時にノブ１２６の前方エッジ１３２に接触して後方に引いて、これにより矢印形状のボス１２５の後面１３０を中間部１３０の前方エッジ１３１から係脱させ、かつ親指の動作により切断刃部材１０６が後方に摺動するのを可能にしてもよい。
【００６２】
また図１２から理解することができるように、スロット１０７の後方部分１３３は、切断刃部材１０６の完全な後方への除去を可能にするのに十分な程に幅広である。
【００６３】
ロッキング機構１０８は親指動作のために構成されていてもよいが、ハンドル１０２は対向する人差し指の把持を向上させるように成形されていてもよい。具体的には、図５を参照すると、パネル１０２は、ハンドル１０２に非円形断面を付与する平らな側壁および直交する下方エッジ１１１を備え、それにより外科医の手の中でのその回転滑りを防止または減少させてもよい。
【００６４】
説明のための上の記載は、本発明の徹底的な理解を与えるために具体的な名称を使用した。但し、本発明を実施するために具体的な詳細は必要ではないことは当業者には明らかであろう。従って、本発明の具体的な実施形態の上の記載は例解および説明のために提供されている。それらは網羅的であることも本発明を開示されている詳細な形態に限定することも意図していない。つまり、明らかに上記教示を考慮して多くの修正および変形が可能である。これらの実施形態は、本発明の原理およびその実際の適用を最も良好に説明するために選択されて記載されており、それらはそれにより他の当業者が本発明および企図される特定の使用に適するような様々な修正を有する様々な実施形態を最も良好に利用するのを可能にする。以下の特許請求の範囲およびそれらの均等物が本発明の範囲を定めることが意図されている。
【手続補正２】
【補正対象書類名】特許請求の範囲
【補正対象項目名】全文
【補正方法】変更
【補正の内容】
【特許請求の範囲】
【請求項１】
近位ハンドルおよび遠位湾曲チップと、前記チップの端部に位置する少なくとも１つの吸引入口を前記ハンドルにある真空口に動作可能に接続する前記チップ内のそれに沿った吸引チャネルと、前記チップ内のそれに沿ったスロット内に摺動可能に保持された可撓性切断刃部材であって、手で操作可能なロッキング機構によって前記可撓性切断刃部材の遠位切断端が前記チップの端部から伸長する伸長位置と前記可撓性切断刃部材の遠位切断端が前記チップの端部内に後退する後退位置との間で構成可能な可撓性切断刃部材とを備え、前記ロッキング機構は、
前記ハンドル内の少なくとも１つの上方開口部から押下することができるロッキングレバーであって、前記切断刃部材が前記伸長位置にある場合に前記レバーを押下することにより前記切断刃部材をロック解除して前記切断刃部材を後退するのを可能にするように構成されたロッキングレバーを備える切断刃部材
を備え、かつ
前記切断刃部材の近位端は前記ハンドルの後方開口部から伸長し、前記後方開口部は、前記切断刃部材が後退位置にある場合に前記近位端を前方に押すことにより前記切断刃部材を前方に摺動させるように後方を向いている、扁桃摘出術用吸引切除装置。
【請求項２】
前記少なくとも１つの上方開口部は後方上方開口部および前方上方開口部を含み、前記レバーは、前記後方上方開口部からアクセス可能な後方ノブと、前記切断刃部材が前記伸長位置にある場合に前記前方上方開口部の後方エッジに当接し、かつ前記切断刃部材が前記後退位置から前記伸長位置に移行する場合に前記後方上方開口部の前方エッジの下を摺動するように方向づけられた矢印形状のボスとを備える、請求項１に記載の装置。
【請求項３】
前記後方上方開口部は、前記後方ノブが前記後退位置と前記伸長位置との間でその後方エッジと前方エッジとの間に位置するように十分に細長い、請求項２に記載の装置。
【請求項４】
前記前方上方開口部は前記後方上方開口部よりも小さい、請求項２に記載の装置。
【請求項５】
前記後方ノブは、それに接触させて前記切断刃部材を前記後退位置まで後方に引くことができる、前記後方上方開口部内でアクセス可能な前方エッジを含む、請求項２に記載の装置。
【請求項６】
前記切断刃部材は前記後方開口部から完全に引き出すことができる、請求項１に記載の装置。
【請求項７】
前記レバーはライブヒンジによって摺動可能に保持されている、請求項１に記載の装置。
【請求項８】
前記レバーは、前記切断刃部材が前記伸長位置にある場合に対向する壁に当接する前方バットレスを備える、請求項１に記載の装置。
【請求項９】
前記近位端は、前記切断刃部材が前記伸長位置にある場合に前記後方開口部と同一平面に位置する、請求項１に記載の装置。
【請求項１０】
前記可撓性切断刃部材は前記スロット内で撓み可能に幅方向に方向づけられた平坦部分を含む、請求項１に記載の装置。
【請求項１１】
前記可撓性切断刃部材はプラスチックを含む、請求項１に記載の装置。
【請求項１２】
前記可撓性切断刃部材は約３ｍｍの厚さを含む、請求項１に記載の装置。
【請求項１３】
前記可撓性切断刃部材は約１０ｍｍの幅を含む、請求項１に記載の装置。
【請求項１４】
前記一体形成されたハンドルおよびチップを含む第１の部分と前記切断刃部材を含む第２の部分とを含む２部分構造を含む、請求項１に記載の装置。
【請求項１５】
前記遠位切断端は、直交する真っ直ぐな切断エッジに向かって狭くなっている、請求項１に記載の装置。
【請求項１６】
前記切断エッジは約１０ｍｍの長さを含む、請求項１５に記載の装置。
【請求項１７】
前記切断エッジは鋸歯を備える、請求項１５に記載の装置。
【請求項１８】
前記鋸歯は前記切断エッジの幅に実質的に沿って配置されており、かつ前記エッジの上から下まで移行している、請求項１７に記載の装置。
【請求項１９】
前記少なくとも１つの吸引入口は前記遠位切断端に対して下方に位置しており、前記少なくとも１つの吸引入口は、遠位、側方および下方に位置する吸引入口のうちの少なくとも１つを含む複数の吸引入口を含む、請求項１に記載の装置。
【請求項２０】
請求項１に記載の装置を含む扁桃摘出術を行うための方法であって、前記方法は、片方の手で前記切断刃部材の近位端を前方に押して同時の切除および吸引を行うことと、吸引のみを行うために前記レバーを押下することによって前記切断刃部材を後退させることとを含む、方法。
【国際調査報告】
2020528332.tif 000017
2020528332.tif 000018
2020528332.tif 000019